(57)【要約】【課題】無駄な電力消費を低減するとともに、セルを劣化させる放電衝撃を低減してセルの長寿命化を図る。【解決手段】アドレッシングの内容を決める表示データに基づいて、セルの総数に対する点灯すべきセルの数の割合である点灯率を検出し、検出した点灯率に応じて、該当する表示データを表示するサステインにおいて印加する電圧パルスの波形を、当該点灯率が大きいときは小さいときよりも前縁の電圧推移を緩やかにするように変更する。【選択図】      図６
2004151348.tif 000002
【特許請求の範囲】
【請求項１】
表示面を構成するセルのうちの表示データが示す点灯すべきセルに壁電圧を生じさせるアドレッシングを行い、その後に全てのセルに一斉に電圧パルス列を印加して前記点灯すべきセルで表示すべき明るさに応じた回数の表示放電を起こすサステインを行うプラズマディスプレイパネルの駆動方法であって、
アドレッシングの内容を決める表示データに基づいて、セルの総数に対する点灯すべきセルの数の割合である点灯率を検出し、
検出した点灯率に応じて、該当する表示データを表示するサステインにおいて印加する電圧パルスの波形を、当該点灯率が大きいときは小さいときよりも前縁の電圧推移を緩やかにするように変更する
ことを特徴とするプラズマディスプレイパネルの駆動方法。
【請求項２】
表示面を構成するセルのうちの表示データが示す点灯すべきセルに壁電圧を生じさせるアドレッシングを行い、その後に全てのセルに一斉に電圧パルス列を印加して前記点灯すべきセルで表示すべき明るさに応じた回数の表示放電を起こすサステインを行うプラズマディスプレイパネルの駆動方法であって、
前記電圧パルス列の各電圧パルスの波形を、前縁において電圧が段階的に推移する階段状とし、
アドレッシングの内容を決める表示データに基づいて、セルの総数に対する点灯すべきセルの数の割合である点灯率を検出し、
検出した点灯率に応じて、該当する表示データを表示するサステインにおいて印加する電圧パルスの前縁における電圧推移の時間を、当該点灯率が大きいときは小さいときよりも長くするように変更する
ことを特徴とするプラズマディスプレイパネルの駆動方法。
【請求項３】
表示面を構成するセルのうちの表示データが示す点灯すべきセルに壁電圧を生じさせるアドレッシングを行い、その後に全てのセルに一斉に電圧パルス列を印加して前記点灯すべきセルで表示すべき明るさに応じた回数の表示放電を起こすサステインを行うプラズマディスプレイパネルの駆動装置であって、
アドレッシングの内容を決める表示データに基づいて、セルの総数に対する点灯すべきセルの数の割合である点灯率を検出する点灯率検出回路と、
検出された点灯率に応じて、該当する表示データを表示するサステインにおいて印加する電圧パルスの波形を、当該点灯率が大きいときは小さいときよりも前縁の電圧推移を緩やかにするように変更するコントローラとを有した
ことを特徴とするプラズマディスプレイパネルの駆動装置。
【請求項４】
表示面を構成するセルのうちの表示データが示す点灯すべきセルに壁電圧を生じさせるアドレッシングを行い、その後に全てのセルに電圧パルス列を印加して前記点灯すべきセルで表示すべき明るさに応じた回数の表示放電を起こすサステインを行うプラズマディスプレイパネルの駆動装置であって、
アドレッシングの内容を決める表示データに基づいて、前記表示面を区画した複数のブロックごとに、各ブロックのセルの総数に対する点灯すべきセルの数の割合である点灯率を検出する点灯率検出回路と、
検出された各ブロックの点灯率に応じて、該当する表示データを表示するサステインにおいて各ブロックのセルに印加する電圧パルスの波形を、当該点灯率が大きいときは小さいときよりも前縁の電圧推移を緩やかにするように変更するコントローラとを有した
ことを特徴とするプラズマディスプレイパネルの駆動装置。
【発明の詳細な説明】
【０００１】
【発明の属する技術分野】
本発明は、プラズマディスプレイパネル（Ｐｌａｓｍａ  Ｄｉｓｐｌａｙ  Ｐａｎｅｌ：ＰＤＰ）の駆動方法に関する。
【０００２】
ＰＤＰを備えた大画面テレビジョン受像機が普及しつつある。画面（表示面ともいう）の解像度の増大にともなって、ＰＤＰを用いた表示装置における電源回路の負担が大きくなっており、その対策が求められている。
【０００３】
【従来の技術】
カラー表示に発光色の異なる３種の蛍光体をもつＡＣ型のＰＤＰが用いられている。ＡＣ型では、セルの発光量を決める表示放電を起こすための表示電極が誘電体で被覆されており、誘電体の帯電により生じる壁電圧が表示に利用される。画面内のセルのうち、表示放電を起こすべきセルの壁電圧を他のセル壁電圧（通常は０）より高くしておき、その後にどのセルにも同様に振幅が放電開始電圧よりも低いサステインパルス列を印加する。サステインパルスの振幅と壁電圧との和が放電開始電圧を超えると表示放電が起きる。そのとき、放電ガスが放つ紫外線によってセル内の蛍光体が励起されて発光する。表示放電による発光を”点灯”という。サステインパルスの印加周期は数マイクロ秒程度であり、視覚的には発光は連続する。
【０００４】
駆動装置によるサステインパルス列の印加は、画面内のセルのそれぞれの壁電圧を表示データに対応させるライン順次のアドレッシングの後に、全セルに対して一斉に行われる。一般的なサステインパルスの波形は単純矩形である。サステインパルスの印加に呼応して、点灯すべき全てのセルでほぼ一斉に表示放電が起こる。そのとき、駆動装置の電源回路からプラズマディスプレイパネルへ放電電流が一時期に集中的に流れる。この放電電流の集中は、サステインパルスの振幅の降下、すなわち電圧ドロップを生じさせ、表示の乱れを引き起こす。電圧ドロップを起こさないような大電流の出力が可能な電源回路は高価であり、それを駆動装置に組み入れるのは現実的ではない。
【０００５】
放電電流の集中を緩和する駆動方法が特開２００１−３４２２７号公報によって開示されている。その方法は、サステインパルスの波形を、前縁の電圧推移が緩やかな台形状にするものである。セル間には放電開始電圧の若干のばらつきがあり、放電の比較的に起こりやすいセルと起こりにくいセルとが存在する。サステインパルスの印加に呼応して、先に放電開始電圧の低いセルで表示放電が起こり、その後に放電開始電圧の高いセルで起こる。サステインパルスの前縁の電圧推移を緩やかにすることによって、電圧推移が急峻である場合と比べて放電開始電圧の高いセルにおける表示放電の起こる時期がより遅くなる。つまり、画面全体において表示放電の開始時期が分散するので、放電電流の集中が緩和される。また、特開２０００−２０６９２８号公報には、サステインパルスの波形を前縁の電圧推移が２段階である階段状にすることによって、放電開始時期を分散させることが記載されている。特開平６−４０３９号公報には、画面を複数のブロックに区画し、ブロック単位でサステインパルスの印加時期をずらすことによって電流の集中を緩和する回路構成が記載されている。
【０００６】
【特許文献１】
特開２００１−３４２２７号公報
【０００７】
【特許文献２】
特開２０００−２０６９２８号公報
【０００８】
【特許文献３】
特開平６−４０３９号公報
【０００９】
【発明が解決しようとする課題】
従来の駆動方法には、点灯すべきセルが少ないときに無駄に電力を消費して発光効率が下がるという問題、および点灯すべきセルが少ないときに点灯すべきセルが多いときよりも蛍光体および誘電体の受ける放電衝撃が大きいという問題があった。上述のように表示放電の開始時期を分散させると、放電電流のピーク値（最大瞬時値）は小さくなる。しかし、点灯すべきセルが多いときには点灯すべきセルが少ないときと比べて放電電流のピーク値が大きい。そして、電圧ドロップは流れる電流が大きいほど顕著である。したがって、駆動条件の設計において、電圧ドロップが生じても表示放電が起こるように、点灯すべきセルが多いときの電圧ドロップの量を見込んで、サステインパルスの振幅を決める必要がある。このように点灯すべきセルが多いときの駆動を基準にサステインパルスの振幅を決めると、点灯すべきセルが少ないときに必要以上に高い電圧がセルに加わり、過大な表示放電が起こって発光効率が低下するとともに、セルが過剰の放電衝撃を受ける。本発明は、無駄な電力消費を低減するとともに、セルを劣化させる放電衝撃を低減してセルの長寿命化を図ることを目的としている。
【００１０】
【課題を解決するための手段】
本発明においては、アドレッシングの内容を決める表示データに基づいて、セルの総数に対する点灯すべきセルの数の割合である点灯率を検出し、検出した点灯率に応じて、該当する表示データを表示するサステインにおいて印加する電圧パルスの波形を、当該点灯率が大きいときは小さいときよりも前縁の電圧推移を緩やかにするように変更する。前縁の緩やかな電圧パルスを印加することによって、セル間の放電特性のばらつきを利用して複数のセルにおける表示放電を時間的に分散させる。表示放電の分散は、放電電流の集中を緩和し、放電電流のピーク値を下げる。さらに、点灯率が大きいほど電圧パルスの前縁をより緩やかにすることによって、点灯率が大きいときの放電電流のピーク値と点灯率が小さいときの放電電流のピーク値とを同程度の値にする。このピーク値の均等化は、点灯率の変化に伴う電源出力の電圧ドロップ量の変化を小さくする。すなわち、点灯率に係らず電源出力の電圧ドロップ量はほぼ一定になる。したがって、点灯率が小さいときに点灯率が大きいときと同じ振幅の電圧パルスをセルに印加しても、過大な表示放電は生じない。なお、パルス波形の変更は、点灯率を複数の範囲に区分して区分ごとに異なる設定をする段階的な変更でもよいし、点灯率の値ごとに異なる設定をする連続的な変更でもよい。また、表示面を複数のブロックに区画してブロックごとにパルス印加を制御する回路構成を採用する場合には、ブロックごとにパルス波形を変更してもよい。
【００１１】
【発明の実施の形態】
図１は本発明に係る表示装置の構成図である。表示装置１００は、カラー表示面を有した面放電ＡＣ型のＰＤＰ１と、セルの発光を制御するドライブユニット７０とから構成されており、壁掛け式テレビジョン受像機、コンピュータシステムのモニターなどとして利用される。
【００１２】
ＰＤＰ１では、表示放電を生じさせるための電極対を構成する表示電極Ｘと表示電極Ｙが互いに平行に配置され、これら表示電極Ｘ，Ｙと交差するようにアドレス電極Ａが配列されている。表示電極Ｘ，Ｙは画面の行方向（水平方向）に延び、アドレス電極は列方向（垂直方向）に延びている。
【００１３】
ドライブユニット７０は、コントローラ７１、データ変換回路７２、電源回路７３、状態検出回路７４、Ｘドライバ７５、Ｙドライバ７６、およびＡドライバ７７を有している。ドライブユニット７０にはＴＶチューナ、コンピュータなどの外部装置からＲ，Ｇ，Ｂの３色の輝度レベルを示すフレームデータＤｆが各種の同期信号とともに入力される。フレームデータＤｆはデータ変換回路７２の中のフレームメモリに一時的に記憶される。データ変換回路７２は、フレームデータＤｆを階調表示のためのサブフレームデータＤｓｆに変換してＡドライバ７７へ送る。サブフレームデータＤｓｆは１セル当たり１ビットの表示データの集合であって、その各ビットの値は該当する１つのサブフレームにおけるセルの発光の要否、厳密にはアドレス放電の要否を示す。Ａドライバ７７は、サブフレームデータＤｓｆに従って、アドレス放電を起こすべきセルを通るアドレス電極Ａにアドレスパルスを印加する。なお、電極へのパルスの印加とは、電極を一時的に所定電位にバイアスすることを意味する。コントローラ７１は、パルス印加およびサブフレームデータＤｓｆの転送を制御する。電源回路７３は、各ドライバへＰＤＰ１の駆動に必要な電力を供給する。
【００１４】
状態検出回路７４は、フレームごとに“表示負荷率”を検出するとともに、サブフレームごとに本発明に特有の“点灯率”を検出する。表示負荷率は、電力消費の指標であり、１フレームにおけるセルの階調値をＧｉ（０≦Ｇｉ≦Ｇｍａｘ）としたときの比率Ｇｉ／Ｇｍａｘの全放電セルにわたる平均値として定義される。この表示負荷率は、明るい画像を表示するときにサステインパルスの印加を少なくして消費電力および発熱を抑える自動電力制御（Ａｕｔｏ  Ｐｏｗｅｒ  Ｃｏｎｔｒｏｌ：ＡＰＣ）に用いられる。これに対して点灯率は、サブフレームにおける点灯すべきセル数ｋのセル総数Ｋに対する割合（例えば百分率とすれば点灯率＝ｋ／Ｋ×１００）であり、サステインにおける電圧ドロップの指標である。状態検出回路７４はサブフレームデータＤｓｆに基づいて点灯すべきセルを示すビットをカウントすることによって点灯率を検出し、検出した点灯率をコントローラ７１に通知する。点灯率は、サステインパルスの波形の設定変更に用いられる。
【００１５】
図２はＸドライバおよびＹドライバの概略構成図である。Ｘドライバ７５は、表示電極Ｘに壁電荷の初期化のためのパルスを印加するリセット回路８１、アドレッシングにおいて表示電極Ｘの電位を制御するためのバイアス回路８２、および表示電極Ｘにサステインパルスを印加するサステイン回路８３からなる。Ｙドライバ７６は、表示電極Ｙに壁電荷の初期化のためのパルスを印加するリセット回路８５、アドレッシングにおいて表示電極Ｙにスキャンパルスを印加するスキャン回路８６、および表示電極Ｙにサステインパルスを印加するサステイン回路８７からなる。
【００１６】
図３はＰＤＰのセル構造の一例を示す図である。図３ではＰＤＰ１のうち、１画素の表示に関わる３つのセルに対応した部分を、内部構造がよくわかるように一対の基板構体１０，２０を分離させて描いてある。ＰＤＰ１は一対の基板構体１０，２０からなる。基板構体とは、ガラス基板上に電極その他の構成要素を設けた構造体を意味する。ＰＤＰ１では、前面側のガラス基板１１の内面に表示電極Ｘ，Ｙ、誘電体層１７および保護膜１８が設けられ、背面側のガラス基板２１の内面にアドレス電極Ａ、絶縁層２４、隔壁２９、および蛍光体層２８Ｒ，２８Ｇ，２８Ｂが設けられている。表示電極Ｘ，Ｙは、それぞれが面放電ギャップを形成する透明導電膜４１とバス導体としての金属膜４２とから構成されている。隔壁２９はアドレス電極配列の電極間隙ごとに１つずつ設けられており、これらの隔壁２９によって放電空間が行方向に列毎に区画されている。放電空間のうちの各列に対応した列空間３１は全ての行に跨がって連続している。蛍光体層２８Ｒ，２８Ｇ，２８Ｂは放電ガスが放つ紫外線によって局部的に励起されて発光する。図中の斜体アルファベットＲ，Ｇ，Ｂは蛍光体の発光色を示す。
【００１７】
以上の表示装置１００におけるＰＤＰ１の駆動シーケンスの概略は次のとおりである。ＰＤＰ１による表示では、２値の点灯制御によってカラー再現を行うために、図４のように入力画像である時系列のフレームＦを所定数ｑのサブフレームＳＦに分割する。つまり、各フレームＦをｑ個のサブフレームＳＦの集合に置き換える。これらサブフレームＳＦに順に例えば２０  ，２１  ，２２  ，…２ｑ−１の重みを付与して各サブフレームＳＦの表示放電の回数を決める。図７ではサブフレーム配列が重みの順であるが、他の順序であってもよい。このようなフレーム構成に合わせてフレーム転送周期であるフレーム期間Ｔｆをｑ個のサブフレーム期間Ｔｓｆに分割し、各サブフレームＳＦに１つのサブフレーム期間Ｔｓｆを割り当てる。さらに、サブフレーム期間Ｔｓｆを、壁電荷の初期化のためのリセット期間ＴＲ、アドレッシングのためのアドレス期間ＴＡ、および点灯維持のための表示期間ＴＳに分ける。リセット期間ＴＲおよびアドレス期間ＴＡの長さが重みに係わらず一定であるのに対し、表示期間ＴＳの長さは重みが大きいほど長い。したがって、サブフレーム期間Ｔｓｆの長さも、それに該当するサブフレームＳＦの重みが大きいほど長い。ｑ個のサブフレームＳＦにおいてリセット期間ＴＲ・アドレス期間ＴＡ・表示期間ＴＳの順序は共通である。サブフレームごとに壁電荷の初期化、アドレッシング、および点灯維持が行われる。
【００１８】
図５は駆動電圧波形の概略図である。図において表示電極Ｙの参照符号の添字（１，ｎ）は対応する行の配列順位を示す。なお、図示の波形は一例であり、振幅・極性・タイミングを種々変更することができる。
【００１９】
各サブフレームのリセット期間ＴＲにおいては、全てのセルの表示電極間に漸増電圧が加わるように、全ての表示電極Ｘに対して負極性および正極性のランプ波形パルスを順に印加し、全ての表示電極Ｙに対して正極性および負極性のランプ波形パルスを順に印加する。これらランプ波形パルスの振幅は微小放電が生じるような十分に小さい変化率で漸増する。セルには、表示電極Ｘ，Ｙに印加されるパルスの振幅を加算した合成電圧が加わる。１回目の漸増電圧の印加で生じる微小放電は、前サブフレームにおける点灯／非点灯に係わらず全てのセルに同一極性の適当な壁電圧を生じさせる。２回目の漸増電圧の印加で生じる微小放電は、壁電圧を放電開始電圧と印加電圧の振幅との差に相当する値に調整する。
【００２０】
アドレス期間ＴＡにおいては、点灯すべきセルのみに点灯維持に必要な壁電荷を形成する。全ての表示電極Ｘおよび全ての表示電極Ｙを所定電位にバイアスした状態で、行選択期間（１行分のスキャン時間）ごとに選択行に対応した１つの表示電極ＹにスキャンパルスＰｙを印加する。この行選択と同時にアドレス放電を生じさせるべき選択セルに対応したアドレス電極ＡのみにアドレスパルスＰａを印加する。つまり、選択行のｍ列分のサブフレームデータＤｓｆに基づいてアドレス電極Ａの電位を２値制御する。選択セルでは表示電極Ｙとアドレス電極Ａとの間の放電が生じ、それがトリガとなって表示電極間の面放電が生じる。これら一連の放電がアドレス放電である。
【００２１】
表示期間ＴＳにおいては、サステインパルスＰｓを表示電極Ｙと表示電極Ｘとに交互に印加する。これにより、表示電極間には交互に極性の入れ替わるサステインパルス列が加わる。サステインパルスＰｓの印加によって、所定の壁電荷が残存するセルで面放電が生じる。サステインパルスの印加回数は上述したとおりサブフレームの重みに対応する。なお、例示のように表示期間ＴＳにわたってアドレス電極ＡをサステインパルスＰｓと同極性にバイアスすることによって、不要の放電を防止してもよい。
【００２２】
以上の駆動シーケンスのうち、本発明に深く係わるのは表示期間ＴＳにおけるサステインパルスＰｓの印加である。そして、重要なことは、サステインパルスＰｓの波形が固定ではなく、点灯率に応じて変更されることである。
【００２３】
図６はサステインパルス波形の切換えの第１例を示す。例示では点灯率が、０〜４０％、４１〜６０％、および６１〜１００％の３つの範囲に区分され、区分ごとにサステインパルスＰｓＬ    ，ＰｓＭ    ，ＰｓＨ    の波形が決められている。これらサステインパルスＰｓＬ  ，ＰｓＭ  ，ＰｓＨ  の間では、前縁の電圧推移に緩やかさの度合い、すなわち電圧上昇期間Ｔ１１，Ｔ１２，Ｔ１３の長さが異なる。長さの関係はＴ１１＜Ｔ１２＜Ｔ１３である。振幅（パルスベース電位とバイアス電位との差）ＶｓはサステインパルスＰｓＬ  ，ＰｓＭ  ，ＰｓＨ  に共通である。点灯率が０〜４０％のときに適用されるサステインパルスＰｓＬ  の波形は矩形であり、その前縁は急峻である。点灯率が４１〜６０％のときに適用されるサステインパルスＰｓＭ  の波形は前縁が若干緩やかな台形状である。そして、点灯率が６１〜１００％のときに適用されるサステインパルスＰｓＨ    の波形は前縁が緩やかな台形状である。つまり、点灯率が大きいときは小さいときよりも前縁の電圧推移がより緩やかな波形が適用される。
【００２４】
図７は第１例のサステインパルス波形の切換えの効果を示す。ここでは便宜的にセルを３個の群に分ける。セル群１のセルでは比較的に放電が生じやすく、セル群２のセルではセル群１のセルと比べて放電が生じにくく、さらにセル群３のセルではセル群３のセルと比べて放電が生じにくいものとする。例えば、点灯率が２０％のときには、サステインパルスＰｓＬ  の印加に呼応して、セル群１、セル群２、およびセル群３の間で若干の差異はあるものの、ほぼ同時に点灯すべきセルで表示放電が生じ、放電電流が一時期に集中的に流れる。しかし、点灯すべきセルが少ないので、放電電流のピーク値は過大ではない。また、点灯率が８０％のときには、サステインパルスＰｓＨ  の印加に呼応して、セル群１、セル群２、およびセル群３の順に点灯すべきセルで表示放電が生じる。点灯すべきセルが多いので、放電電流の積分値は大きい。しかし、表示放電が時間的に分散するので、この場合にも放電電流のピーク値は過大ではない。図中に鎖線で示すとおり、仮にサステインパルスＰｓＨ  に代えてサステインパルスＰｓＬ  を印加したとすると、放電電流のピーク値は過大となる。
【００２５】
次にサステインパルス波形の切換えを実現するための回路構成を、表示電極Ｘに対するサステインパルスの印加に注目して説明する。表示電極Ｙに対するサステインパルスの印加は、表示電極Ｘに対するサステインパルスの印加と同様であるので、その説明は省略する。
【００２６】
図８はサステイン回路の構成図である。サステイン回路８３は、振幅Ｖｓのパルスを出力する機能をもつプッシュプル構成のスイッチング回路であり、表示電極間の静電容量の充電に費やした電荷を再利用するための電力回収回路８３３を含む。並列接続された３個の電界効果トランジスタＱ１１，Ｑ１２，Ｑ１３のいずれかがＯＮ状態のとき、電位Ｖｓの電源端子と表示電極Ｘとが逆流防止ダイオードＤ１を介して導通する。電界効果トランジスタＱ１１，Ｑ１２，Ｑ１３は、表示電極Ｘを電位Ｖｓにバイアスするプルアップスイッチである。電界効果トランジスタＱ２０がＯＮ状態のとき、接地端子と表示電極Ｘとが逆流防止ダイオードＤ２を介して導通する。電界効果トランジスタＱ２０は、表示電極Ｘの電位をパルスベース電位に戻すプルダウンスイッチである。電界効果トランジスタＱ１１，Ｑ１２，Ｑ１３，Ｑ２０の動作は、コントローラ７１からの制御信号ＳＱ１１，ＳＱ１２，ＳＱ１３，ＳＱ２０に従う。制御信号ＳＱ１１，ＳＱ１２，ＳＱ１３，ＳＱ２０は、ゲートドライバを介して電界効果トランジスタＱ１１，Ｑ１２，Ｑ１３，Ｑ２０に伝達される。
【００２７】
図９はサステインパルス波形の切換えの制御を示すタイムチャートである。図のとおり、点灯率が０〜４０％のときにはサステインパルスＰｓＬ  の印加において、３個の電界効果トランジスタＱ１１，Ｑ１２，Ｑ１３がＯＮにされる。これに対して、点灯率が４１〜６０％のときにはサステインパルスＰｓＭ  の印加において２個の電界効果トランジスタＱ１１，Ｑ１２がＯＮにされ、点灯率が６１〜１００％のときにはサステインパルスＰｓＨ    の印加において１個の電界効果トランジスタＱ１１のみがＯＮにされる。ＯＮになるトランジスタの数が少ないほど、電源端子と表示電極Ｘとを結ぶ通電路のインピーダンスが大きいので、表示電極間の静電容量へ流れる電流が小さい。電流が小さいほど、印加電圧の上昇は緩慢である。
【００２８】
なお、パルスの前縁の電圧推移を切り換える他の方法として、プルアップスイッチを短い周期で断続的にＯＮにし、その周期を変更する方法がある。さらに、コンデンサまたは抵抗とトランジスタとからなるインピーダンスの異なる開閉可能な複数の通電路をプルアップスイッチと表示電極Ｘとの間に並列に挿入し、選択的に通電路を閉じる方法もある。
【００２９】
図１０はサステインパルス波形の切換えの第２例を示す。第２例においても点灯率が、０〜４０％、４１〜６０％、および６１〜１００％の３つの範囲に区分され、区分ごとにサステインパルスＰｓＬ    ，ＰｓＭ    ，ＰｓＨ    の波形が決められている。サステインパルスＰｓＬ    ，ＰｓＭ    ，ＰｓＨ    の波形は、前縁において電圧が段階的に推移する階段状である。これらサステインパルスＰｓＬ  ，ＰｓＭ  ，ＰｓＨ  の間では、前縁の電圧推移の途中で電位Ｖｓ’（Ｖｓ’＜Ｖｓ）のバイアスを保持する中間電位保持期間Ｔ２１，Ｔ２２，Ｔ２３の長さが異なる。長さの関係はＴ２１＜Ｔ２２＜Ｔ２３である。振幅ＶｓはサステインパルスＰｓＬ  ，ＰｓＭ，ＰｓＨ  に共通であるので、中間電位保持期間Ｔ２１，Ｔ２２，Ｔ２３が長いほど必然的に電圧推移期間も長く、前縁の電圧推移が緩やかである。つまり、第２例においても図６の第１例と同様に、点灯率が大きいときは小さいときよりも前縁の電圧推移がより緩やかな波形が適用される。
【００３０】
階段状波形の生成および期間Ｔ２１，Ｔ２２，Ｔ２３の長さの切換えは、２個の電源およびそれらと表示電極との導通を制御するスイッチング回路によって実現することができる。まず、電位Ｖｓ’の電源端子と表示電極とを導通させてパルス印加を開始し、その導通状態を期間Ｔ２１，Ｔ２２，Ｔ２３が経過するまで保持する。次に、電位Ｖｓの電源端子と表示電極とを導通させる。その後、接地端子と表示電極とを導通させてパルス印加を終了する。
【００３１】
図１１は第２例のサステインパルス波形の切換えの効果を示す。第２例においても第１例と同様の効果が得られる。例えば、点灯率が２０％のときには、サステインパルスＰｓＬ  の印加に呼応して、セル群１、セル群２、およびセル群３の間で若干の差異はあるものの、ほぼ同時に点灯すべきセルで表示放電が生じ、放電電流が一時期に集中的に流れる。しかし、点灯すべきセルが少ないので、放電電流のピーク値は過大ではない。また、点灯率が８０％のときには、サステインパルスＰｓＨ  の印加に呼応して、セル群１、セル群２、およびセル群３の順に各群に属する点灯すべきセルで表示放電が生じる。点灯すべきセルが多いので、放電電流の積分値は大きい。しかし、表示放電が時間的に分散するので、この場合にも放電電流のピーク値は過大ではない。図中に鎖線で示すとおり、仮にサステインパルスＰｓＨ  に代えてサステインパルスＰｓＬ  を印加したとすると、放電電流のピーク値は過大となる。
【００３２】
以上の実施形態において、表示放電に伴う維持電圧のドロップを検出し、許容下限より下がらないように振幅Ｖｓを調整する機能を組み入れることができる。階段状波形の段階的な電圧推移は２段階に限らず、３段階以上であってもよい。電圧推移が３段階以上の場合、途中の２以上の段階の長さを調整して放電時期を分散させることができる。
【００３３】
上述の実施形態においては、単一極性のサステインパルスＰｓを表示電極Ｘ，Ｙに交互に印加する例を挙げたが、振幅がＶｓ／２の正負のパルスを表示電極Ｘ，Ｙに同時に印加して表示電極間に維持電圧Ｖｓを印加する駆動形態を採用してもよい。表示電極Ｘ，Ｙの配列については、マトリクス表示の行ごとに一対ずつ配列する形態に限らず、行数ｎに１を加えた本数の表示電極を２行に３本の割合で等間隔に配列する形態であってもよい。配列形態に係わらず本発明を適用することができる。
【００３４】
表示面を複数のブロックに区画してブロックごとにパルス印加を制御する回路構成を採用する場合には、ブロックごとに点灯率を求めてその結果に応じてパルス波形を変更する、きま細かな駆動制御を行うことができる。表示面の区画を表示電極Ｘ，Ｙの配列に合わせて１つまたは複数の行でブロックを構成するように行い、ブロックごとにドライバを配置すれば、ブロックごとのパルス波形制御を実現することができる。
【００３５】
【発明の効果】
請求項１ないし請求項４の発明によれば、点灯すべきセルが少ないときの無駄な電力消費を低減するとともに、セルを劣化させる放電衝撃を低減してセルの長寿命化を図ることができる。
【図面の簡単な説明】
【図１】本発明に係る表示装置の構成図である。
【図２】ＸドライバおよびＹドライバの概略構成図である。
【図３】ＰＤＰのセル構造の一例を示す図である。
【図４】フレーム分割の概念図である。
【図５】駆動電圧波形の概略図である。
【図６】サステインパルス波形の切換えの第１例を示す図である。
【図７】第１例のサステインパルス波形の切換えの効果を示す図である。
【図８】サステイン回路の構成図である。
【図９】サステインパルス波形の切換えの制御を示すタイムチャートである。
【図１０】サステインパルス波形の切換えの第２例を示す図である。
【図１１】第２例のサステインパルス波形の切換えの効果を示す図である。
【符号の説明】
１  ＰＤＰ（プラズマディスプレイパネル）
Ｄｓｆ  サブフレームデータ（表示データ）
ＰｓＬ    ，ＰｓＭ    ，ＰｓＨ      サステインパルス（電圧パルス）
７０  ドライブユニット（駆動装置）
７４  状態検出回路（点灯率検出回路）
７１  コントローラ
Ｔ１１，Ｔ１２，Ｔ１３  電圧上昇期間（電圧推移の時間）
Ｔ２１，Ｔ２２，Ｔ２３  期間（電圧推移の時間）
【図１】
2004151348.tif 000003
【図２】
2004151348.tif 000004
【図３】
2004151348.tif 000005
【図４】
2004151348.tif 000006
【図５】
2004151348.tif 000007
【図６】
2004151348.tif 000008
【図７】
2004151348.tif 000009
【図８】
2004151348.tif 000010
【図９】
2004151348.tif 000011
【図１０】
2004151348.tif 000012
【図１１】
2004151348.tif 000013